(57)【特許請求の範囲】
【請求項１】
テーブル本体の下面の両側部にレールが取付けられ、レールにランナーが走行自在に設けられ、ベースに支持脚が取付けられ、支持脚に対してレールの長さ方向の両端部に配された揺動脚が揺動自在に連結され、揺動脚の先端部にランナーが連結され、揺動脚の起立状態を維持する起立維持手段を設け、起立維持されて対向している揺動脚においては、揺動脚と支持脚との枢支位置よりも揺動脚の上端部のランナーの取付け位置が対向する揺動脚側に変位するように屈曲形成していることを特徴とする昇降テーブル。
【請求項２】
起立維持手段は、揺動脚と支持脚との枢支位置よりも変位した位置において支持脚と揺動脚との重なり部分を貫通する固定具を備えていることを特徴とする請求項１記載の昇降テーブル。
【請求項３】
揺動脚は、ガススプリングのようなばね付勢手段で上方に揺動付勢されて成ることを特徴とする請求項１記載の昇降テーブル。
【請求項４】
テーブル本体は、床面近くの格納位置とこれよりも上位の使用位置とに昇降され、格納位置において床面と略同レベルとなるようなカバーを付設している成ることを特徴とする請求項１記載の昇降テーブル。
【請求項５】
対向する揺動脚の揺動動作を連動させる連動手段を設けて成ることを特徴とする請求項１記載の昇降テーブル。
【発明の詳細な説明】
【０００１】
【発明の属する技術分野】
本発明は、昇降テーブルに関し、詳しくは、テーブル本体を例えば床面レベルに格納する格納位置とこれよりも上昇させた使用位置とに昇降させる昇降テーブルに関し、更に詳しくは、昇降装置を簡素化し、使用位置におけるテーブル本体の支持強度を高め、掘り込み深さを不要に深くしなくてもよく、かつ、下降も安全、容易におこなえるようにしようとする技術に係るものである。
【０００２】
【従来の技術】
従来、テーブル本体を床下に掘り込んだ掘り込みに格納する格納位置と床面レベルよりも使用位置に上昇させる昇降テーブルにおいて、内外の伸縮筒を用いてテーブル本体を上下にスライド昇降させる構成のものが考えられる。
【０００３】
ところが、昇降機構においてテーブル本体を使用位置に上昇させた上昇位置を保持するものでは、テーブル本体にかかる多大な荷重を予想して頑丈な昇降機構が必要とされるものであり、又、昇降機構が大型となる場合には、人が足を入れる深さよりも掘り込み深さを大にしなければならない等という問題がある。
【０００４】
【発明が解決しようとする課題】
本発明はこのような問題に鑑みてなされたものであり、昇降装置を簡素化し、使用位置におけるテーブル本体の支持強度を高め、掘り込み深さも深くしなくてもよく、かつ、下降も安全、容易におこなえる昇降テーブルを提供することを課題とするものである。
【０００５】
【課題を解決するための手段】
請求項１においては、テーブル本体１の下面の両側部にレール２、２が取付けられ、レール２にランナー３が走行自在に設けられ、ベース４に支持脚５が取付けられ、支持脚５に対してレール２、２の長さ方向の両端部に配された揺動脚６が揺動自在に連結され、揺動脚６の先端部にランナー３が連結され、揺動脚６の起立状態を維持する起立維持手段７を設け、起立維持されて対向している揺動脚６においては、揺動脚６と支持脚５との枢支位置ａよりも揺動脚６の上端部のランナー３の取付け位置ｂが対向する揺動脚６側に変位するように屈曲形成していることを特徴とするものである。
【０００６】
このような構成によれば、ベース４に固定している支持脚５に対して揺動脚６を下降側に揺動させることで、揺動脚６の先端のランナー３をテーブル本体１の下面側のレール２に沿って走行させながらテーブル本体１を円滑に下降させることができ、又、揺動脚６を起立側に揺動させることで、レール２及びランナー３によってテーブル本体１を円滑に上昇させることができるのであり、起立揺動及び下降揺動する揺動脚６を採用することで、テーブル本体１の昇降機構を簡素化することができ、かつ、対向する揺動脚６、６の起立状態においてテーブル本体１の昇降位置を維持することから、テーブル本体１を床面よりも上昇させて使用位置に保持する保持強度を高めることができ、又、揺動脚６を略水平な姿勢に揺動することでテーブル本体１を所定の位置に下降させることができ、昇降機構の上下高さを不要に高くしなくてもよく、掘り込み深さを大にしなくてもよいものであり、しかも、支持脚５に揺動自在に連結する揺動脚６の長さの設定によってテーブル本体１の充分な昇降ストロークを得ることができる。
更に、請求項１においては、起立維持されて対向している揺動脚６においては、揺動脚６と支持脚５との枢支位置ａよりも揺動脚６の上端部のランナー３の取付け位置ｂが対向する揺動脚６側に変位するように屈曲形成していることを特徴とするものである。このような構成によれば、テーブル本体１を押し下げることで、ランナー３をレール２に沿って走行させる分力を発生させることができ、テーブル本体１の下降を容易におこなうことができ、使いやすくなる。
【０００７】
請求項２においては、起立維持手段７は、揺動脚６と支持脚５との枢支位置ａよりも変位した位置において支持脚５と揺動脚６との重なり部分を貫通する固定具１１を備えていることを特徴とするものである。このような構成によれば、枢支位置とは離れた位置において支持脚５と揺動脚６とが重なる部分に固定具１１を貫通することで、揺動脚６が起立揺動して上昇されて使用位置にあるテーブル本体１に多大な荷重がかかる場合においても、テーブル本体１を、一層、強固に保持することができる。
【０００８】
請求項３においては、揺動脚６は、ガススプリングのようなばね付勢手段８で上方に揺動付勢されていることを特徴とするものである。このような構成によれば、ガススプリングのようなばね付勢手段８によって揺動脚６を上昇付勢することから、揺動脚６を下降揺動させてテーブル本体１を下降させるテーブル本体１の下降速度を低減することができ、テーブル本体１の下降を安全におこなうことができ、かつ、テーブル本体１の起立揺動を容易におこなうことができ、使いやすくなる。
【００１０】
請求項４においては、テーブル本体１は、床面近くの格納位置とこれよりも上位の使用位置とに昇降され、格納位置において床面と略同レベルとなるようなカバー９を付設していることを特徴とするものである。このような構成によれば、床面近くに格納させたテーブル本体１の表面はカバー９にて覆われて床面の外観が低下されるのを防止し、テーブル本体１の表面が傷つけられるのを防止することができる。
【００１１】
請求項５においては、対向する揺動脚６、６の揺動動作を連動させる連動手段１０を設けていることを特徴とするものである。このような構成によれば、連動手段１０によって対向する揺動脚６、６の揺動を連動させることができ、使いやすい。
【００１２】
【発明の実施の形態】
以下、本発明の実施の形態を説明する。図１は説明図である。図２は一部省略した斜視図である。図３は分解斜視図である。
【００１３】
昇降テーブルＡは、例えば、テーブル本体１が床面レベルに格納され、必要に応じて上昇させてテーブルとして使用するのであり、この場合、床面に座り足を床面に形成した掘り込み１２に入れるものである。このような昇降テーブルＡにおい昇降装置を簡素化し、使用位置におけるテーブル本体１の支持強度を高め、掘り込み１２の深さを不要に深くしなくてもよく、かつ、下降も安全、容易におこなえるようにしている。以下、詳述する。
【００１４】
テーブル本体１の下面には図２に示すように、略ロ字状の枠体１３が取付けられ、テーブル本体１の外形寸法は床面１４に形成した掘り込み１２の開口を閉塞する形状になっている。枠体１３の対向するフレームは断面コ字状に形成されてレール２、２となっている。レール２の長さ方向の中間部にはストッパー１５を取付けている。
【００１５】
掘り込み１２の底面をベース４として支持脚５が固定されている。支持脚５は基盤１６に断面コ字状の支持フレーム１７を一体化したものである。移動棒材１８の両端部にレール２、２を走行するランナー３、３を回転自在に備えている。移動棒材１８は揺動脚６の上端に取付けられている。揺動脚６の中間部が支持脚６の上端部に枢支軸２０によって揺動自在に枢支されている。揺動脚６も断面コ字状に形成されている。
【００１６】
しかして、支持脚５に対して揺動脚６が略水平方向に揺動して移動棒材１８のランナー３、３がレール２、２内を走行してストッパー１５に当接する位置においてテーブル本体１を最大限に下降させる状態と、揺動脚６が支持脚５に対して起立回動してランナー３がレール２の外方端部に当接してテーブル本体１を最大限に上昇させる状態とに切り替えることができるようにしている。
【００１７】
支持脚５及び揺動脚６には固定孔５ａ、６ａが形成されていて、テーブル本体１を最も上昇させる使用位置において、ボルトやピン状の固定具１１を挿入して起立状態の揺動脚６を強固に保持するようにしている。このように、揺動脚６の起立状態を維持する構成を起立維持手段７と総称し、その構成は種々設計変更可能である。
【００１８】
このような構成によれば、ベース４に固定している支持脚５に対して揺動脚６を下降側に揺動させることで、揺動脚６の先端のランナー３をテーブル本体１の下面側のレール２に沿って走行させながらテーブル本体１を円滑に下降させることができるのである。符号１６は受桟であり、下降したテーブル本体１を載設支持するものである。又、揺動脚６を起立側に揺動させることで、レール２及びランナー３によってテーブル本体１を円滑に上昇させることができるのである。
【００１９】
しかして、起立揺動及び下降揺動する揺動脚６を採用することで、テーブル本体１の昇降機構を簡素化することができるのであり、かつ、対向する揺動脚６、６の起立状態においてテーブル本体１の昇降位置を維持することから、テーブル本体１を床面よりも上昇させて使用位置に保持する保持強度を高めることができるものである。
【００２０】
この場合、揺動脚６を略水平な姿勢に揺動することでテーブル本体１を所定の位置に下降させることができ、昇降機構の上下高さを不要に高くしなくてもよく、掘り込み深さを大にしなくてもよいものである。しかも、支持脚５に揺動自在に連結する揺動脚６の長さの設定によってテーブル本体１の充分な昇降ストロークを得ることができるものである。
【００２１】
この場合、起立維持手段７は、揺動脚６と支持脚５との枢支位置ａ（枢支軸２０の位置）よりも変位した位置において支持脚５と揺動脚６との重なり部分を貫通する上記固定具１１を備えていることから、揺動脚６が起立揺動して上昇されて使用位置にあるテーブル本体１に多大な荷重がかかる場合においても、テーブル本体１を、一層、強固に保持することができるものである。又、起立維持手段７は、ランナー３がレール２に対して移動しない部品を使用するものであってもよいものである。
【００２２】
支持脚５及び揺動脚６には支軸２１、２２を取付けていて、このような支軸２１、２２にわたってばね付勢手段８としてのガススプリング８ａを架設して揺動脚６を上方に揺動付勢している。
【００２３】
このように、ガススプリング８ａによって揺動脚６を上昇付勢することから、揺動脚６を下降揺動させてテーブル本体１を下降させるテーブル本体１の下降速度を低減することができ、テーブル本体１の下降を安全におこなうことができ、かつ、テーブル本体１の起立揺動を容易におこなうことができ、使いやすくなるものである。
【００２４】
更に、起立維持されている揺動脚６においては、揺動脚６と支持脚５との枢支位置ａよりも揺動脚６の上端部のランナー３の取付け位置ｂが対向する揺動脚６側に変位するように屈曲形成している。しかして、上記起立維持手段７を解除した状態でテーブル本体１を押し下げることで、ランナー３をレール２に沿って走行させる分力を発生させることができるのであり、テーブル本体１の下降を容易におこなうことができ、使いやすくなるものである。
【００２５】
このように、テーブル本体１は、床面近くの格納位置とこれよりも上位の使用位置とに昇降されるのであり、格納位置において床面と略同レベルとなるようなカバー９を付設しているものである。
【００２６】
しかして、床面近くに格納させたテーブル本体１の表面はカバー９にて覆われて床面の外観が低下されるのを防止し、テーブル本体１の表面が傷つけられるのを防止することができるものである。
【００２７】
図２に示すように、一対の移動棒体１８、１８は環状のワイヤー２３の途中に係着され、移動棒材１８、１８の移動を連動するようにしてあり、揺動脚６、６の揺動を連動させることができ、使いやすくしている。環状のワイヤー２３は例えば枠体１３に保持された一対のスプロケット２４、２４に支持されて回転可能に構成されている。符号２５はスプリングで、ワイヤー２３のたるみを防止している。このように、対向する揺動脚６、６の揺動動作を連動させる構成を連動手段１０と総称する。連動手段１０の構成は変更することができる。
【００２８】
【発明の効果】
請求項１においては、テーブル本体の下面の両側部にレールが取付けられ、レールにランナーが走行自在に設けられ、ベースに支持脚が取付けられ、支持脚に対してレールの長さ方向の両端部に配された揺動脚が揺動自在に連結され、揺動脚の先端部にランナーが連結され、揺動脚の起立状態を維持する起立維持手段を設け、起立維持されて対向している揺動脚においては、揺動脚と支持脚との枢支位置よりも揺動脚の上端部のランナーの取付け位置が対向する揺動脚側に変位するように屈曲形成しているから、ベースに固定している支持脚に対して揺動脚を下降側に揺動させることで、揺動脚の先端のランナーをテーブル本体の下面側のレールに沿って走行させながらテーブル本体を円滑に下降させることができ、又、揺動脚を起立側に揺動させることで、レール及びランナーによってテーブル本体を円滑に上昇させることができるのであり、起立揺動及び下降揺動する揺動脚を採用することで、テーブル本体の昇降機構を簡素化することができ、かつ、対向する揺動脚の起立状態においてテーブル本体の昇降位置を維持することから、テーブル本体を床面よりも上昇させて使用位置に保持する保持強度を高めることができ、又、揺動脚を略水平な姿勢に揺動することでテーブル本体を所定の位置に下降させることができ、昇降機構の上下高さを不要に高くしなくてもよく、掘り込み深さを大にしなくてもよいものであり、しかも、支持脚に揺動自在に連結する揺動脚の長さの設定によってテーブル本体の充分な昇降ストロークを得ることができるという利点がある。
更に、請求項１においては、起立維持されて対向している揺動脚においては、揺動脚と支持脚との枢支位置よりも揺動脚の上端部のランナーの取付け位置が対向する揺動脚側に変位するように屈曲形成しているから、テーブル本体を押し下げることで、ランナーをレールに沿って走行させる分力を発生させることができ、テーブル本体の下降を容易におこなうことができ、使いやすくなるという利点がある。
【００２９】
請求項２においては、請求項１の構成に加えて、起立維持手段は、揺動脚と支持脚との枢支位置よりも変位した位置において支持脚と揺動脚との重なり部分を貫通する固定具を備えているから、請求項１の効果に加えて、枢支位置とは離れた位置において支持脚と揺動脚とが重なる部分に固定具を貫通することで、揺動脚が起立揺動して上昇されて使用位置にあるテーブル本体に多大な荷重がかかる場合においても、テーブル本体を、一層、強固に保持することができるという利点がある。
【００３０】
請求項３においては、請求項１の構成に加えて、揺動脚は、ガススプリングのようなばね付勢手段で上方に揺動付勢されているから、請求項１の効果に加えて、ガススプリングのようなばね付勢手段によって揺動脚を上昇付勢することから、揺動脚を下降揺動させてテーブル本体を下降させるテーブル本体の下降速度を低減することができ、テーブル本体の下降を安全におこなうことができ、かつ、テーブル本体の起立揺動を容易におこなうことができ、使いやすくなるという利点がある。
【００３２】
請求項４においては、請求項１の構成に加えて、テーブル本体は、床面近くの格納位置とこれよりも上位の使用位置とに昇降され、格納位置において床面と略同レベルとなるようなカバーを付設しているから、請求項１の効果に加えて、床面近くに格納させたテーブル本体の表面はカバーにて覆われて床面の外観が低下されるのを防止し、テーブル本体の表面が傷つけられるのを防止することができるという利点がある。
【００３３】
請求項５においては、請求項１の構成に加えて、対向する揺動脚の揺動動作を連動させる連動手段を設けているから、請求項１の効果に加えて、連動手段によって対向する揺動脚の揺動を連動させることができ、使いやすいという利点がある。
【図面の簡単な説明】
【図１】本発明の実施の一形態の説明図である。
【図２】（ａ）は同上の一部省略した斜視図、（ｂ）は説明図である。
【図３】同上の分解斜視図である。
【図４】同上の一部省略した側面図である。
【図５】同上の支持脚を示し、（ａ）は斜視図、（ｂ）は正面図である。
【図６】同上の支持脚を示し、（ａ）は平面図、（ｂ）は側面図である。
【図７】同上の揺動脚を示し、（ａ）は斜視図、（ｂ）は一部破断した側面図である。
【図８】同上の揺動脚の正面図である。
【図９】同上のガススプリングを示し、（ａ）は伸張状態の正面図、（ｂ）は収縮状態の側面図である。
【図１０】同上のストッパーを示し、（ａ）は正面図、（ｂ）は側面図である。
【図１１】同上の枠体を示し、（ａ）は斜視図、（ｂ）は正面図である。
【図１２】同上の枠体の底面図である。
【符号の説明】
１  テーブル本体
２  レール
３  ランナー
４  ベース
５  支持脚
６  揺動脚
７  起立維持手段
【図１】
0003664063.tif 000002
【図２】
0003664063.tif 000003
【図３】
0003664063.tif 000004
【図４】
0003664063.tif 000005
【図５】
0003664063.tif 000006
【図６】
0003664063.tif 000007
【図７】
0003664063.tif 000008
【図８】
0003664063.tif 000009
【図９】
0003664063.tif 000010
【図１０】
0003664063.tif 000011
【図１１】
0003664063.tif 000012
【図１２】
0003664063.tif 000013